(57)【要約】【課題】構造物の上部から垂下した索条を介して吊り下げられるゴンドラなどの作業床の前後の傾きを調整して姿勢を保つ吊り下げ式作業床装置を提供すること。【解決手段】構造物の上部から索条２で吊り下げられて作業に用いる吊り下げ式の作業床３に、索条による作業床３の前後方向の吊り下げ位置を調整して傾斜を修正し得る吊り下げ位置調整機構１０を設けてある。  これにより、吊下げ位置調整機構１０で索条２による作業床３の前後の吊下げ位置を変えることができ、作業床３や張り出し作業床１６の前側や後側で作業しても傾かないようにでき、効率良く作業することができるとともに、安全性を向上するようにしている。【選択図】図１
2007132087.tif 000002
【特許請求の範囲】
【請求項１】
構造物の上部から索条で吊り下げられて作業に用いる吊り下げ式の作業床に、前記索条による前記作業床の前後方向の吊り下げ位置を調整して傾斜を修正し得る吊り下げ位置調整機構を設けて構成したことを特徴とする吊り下げ式作業床装置。
【請求項２】
前記吊下げ位置調整機構を、一端部が前記作業床に回動可能に支持された平行な２本の回動アームを備えた平行四辺形リンクの他端部に前記索条をガイドするシーブを回動可能に設けるとともに、シーブカバーを設ける一方、これらの回動アームの回動位置を調整固定する手段を設けて構成したことを特徴とする請求項１記載の吊り下げ式作業床装置。
【請求項３】
前記吊下げ位置調整機構を、一端部が前記作業床に回動可能に支持された回動アームの他端部に前記索条をガイドするシーブを設ける一方、この回動アームの回動位置を調整固定する手段を設けて構成したことを特徴とする請求項１記載の吊り下げ式作業床装置。
【請求項４】
前記吊下げ位置調整機構を、一端部が前記作業床に支持された固定アームに前記索条をガイドする往復移動可能なシーブを設ける一方、このシーブの往復移動位置を調整固定する手段を設けて構成したことを特徴とする請求項１記載の吊り下げ式作業床装置。
【請求項５】
前記作業床に、前方に張り出して設置可能な張出し作業床を設けて構成したことを特徴とする請求項１〜４のいずれかに記載の吊り下げ式作業床装置。
【請求項６】
前記吊下げ位置調整機構の前記作業床の左右方向取付位置を変更可能として吊り芯間隔を設定可能に構成したことを特徴とする請求項１〜５のいずれかに記載の吊り下げ式作業床装置。
【請求項７】
前記作業床を、当該作業床あるいは前記構造物に設置した巻き取り繰り出し装置で昇降可能に構成したことを特徴とする請求項１〜６のいずれかに記載の吊り下げ式作業床装置。
【請求項８】
前記作業床を、有人作業用のゴンドラあるいは作業機搭載用架台で構成したことを特徴とする請求項１〜７のいずれかに記載の吊り下げ式作業床装置。
【請求項９】
前記作業床の少なくとも一端部に開閉扉を設けて構成したことを特徴とする請求項１〜８のいずれかに記載の吊り下げ式作業床装置。
【発明の詳細な説明】
【技術分野】
【０００１】
この発明は吊り下げ式作業床装置に関し、建築物などの構造物の上部から垂下したワイヤロープなどの索条を介してゴンドラなどの作業床で作業を行う場合に、作業床の前後の吊り位置や左右の吊り間隔を調整可能にしたもので、傾きを修正したり、構造物からの索条の吊り下げ位置にかかわらず必要な作業範囲を確保して効率的に作業ができるようにしたものである。
【背景技術】
【０００２】
従来から、ビル、船舶、発電所、タンク、煙突、そして橋梁などの構造物の壁面の構築や補修などの高所作業を安全かつ能率的に行うためワイヤロープなどの索条で吊り下げた作業者が搭乗するゴンドラや自動窓拭き装置などを搭載する作業床などの吊り下げ式作業床装置を用いることも多く、一定高さに設置したり、昇降機構で上下に昇降可能としたり、さらに必要に応じて上下の昇降だけでなく左右の横行も可能とすることを組み合わせて移動させることで広範囲の作業を行うようにしている。
【０００３】
このような吊り下げ式の作業床装置には、仮設式や常設式として種々の形式のものが実用化されており、その１つは、構造物の上部である屋上などから昇降用ワイヤなどの索条を吊り下げ、作業床としての作業用ケージに搭載した昇降機構であるエンドレスワインダによって昇降用ワイヤに沿って作業用ケージを昇降可能とし、作業用ケージを任意の位置に昇降させて作業するようにしたり、例えば特許文献１などに開示されているように、左右の横行を組み合わせる場合には、構造物の上部である屋上などに横行レールを仮設し、この横行レールに沿って走行する２台のトロリーから昇降用ワイヤなどの索条を吊り下げるようにし、作業用ケージの昇降と、横行レールに沿ってトロリーを走行させることを組み合わせて作業するようにしたものがある。
【０００４】
さらに、常設式として多く採用されている形式に、例えば特許文献２に示すように、建築物の屋上部に走行可能な台車を設けておき、この台車に搭載した昇降機構を介してワイヤーロープ等の索条を構造物の外側に突き出すアームの先端から吊り下げて作業床としての作業用ケージを連結し、この作業用ケージを台車内の昇降機構によるワイヤロープの巻き取り・繰り出しによって昇降させることと、台車の走行とを組み合わせて作業するようにしたものがある。
【特許文献１】特開平２−３０８５１号公報
【特許文献２】特開２０００−３２０１３３号公報
【発明の開示】
【発明が解決しようとする課題】
【０００５】
これらの作業床装置の何れも作業床としての作業用ケージが屋上や屋上のトロリー、あるいは台車から吊り下げられた索条としての２本のワイヤロープを介して吊り下げられているため、作業のため構造物の外壁面側（前側）に作業者が移動すると、外壁面側に傾くことになり、作業がやり難くなるという問題があり、特に、構造物の外壁面に凹部があり、凹部への作業を容易とするため前方に突き出す転倒式床板を備えた作業ケージでは、転倒式床板上に移動すると、大きく傾き、作業がやり難いだけでなく作業ケージ内の搭載物までも移動してしまうという問題がある。
【０００６】
また、構造物の屋上のパラペットなどの形状によっては、作業ケージを吊下げるための索条としてのワイヤロープの取付位置や取付間隔に制約があり、外壁面の端部まで作業用ケージから届かず、作業範囲が制約されたり、作業ケージへの取付位置が一定間隔であり、簡単に対応できないという問題が生じたり、ワイヤ取付位置より外側に大きく張り出した作業ケージで作業しようとすると、外側（左右側）への作業者の移動で左右に傾くことになり、作業がやり難くなるという問題がある。
【０００７】
この発明は、上記の問題点に鑑みてなされたものであって、構造物の上部から垂下した索条を介して吊り下げられるゴンドラなどの作業床の前後の傾きを調整して姿勢を保つ吊り下げ式作業床装置を提供しようとするものである。
【課題を解決するための手段】
【０００８】
上記課題を解決するためこの発明の請求項１記載の吊り下げ式作業床装置は、構造物の上部から索条で吊り下げられて作業に用いる吊り下げ式の作業床に、前記索条による前記作業床の前後方向の吊り下げ位置を調整して傾斜を修正し得る吊り下げ位置調整機構を設けて構成したことを特徴とするものである。
【０００９】
この吊り下げ式作業床装置によれば、構造物の上部から索条で吊り下げられて作業に用いる吊り下げ式の作業床に、前記索条による前記作業床の前後方向の吊り下げ位置を調整して傾斜を修正し得る吊り下げ位置調整機構を設けて構成してあり、吊下げ位置調整機構で索条による作業床の前後の吊下げ位置を変えることで、作業床の前側や後側で作業しても傾かないようにでき、効率良く作業できるとともに、安全性を向上できるようになる。
【００１０】
また、この発明の請求項２記載の吊り下げ式作業床装置は、請求項１記載の構成に加え、前記吊下げ位置調整機構を、一端部が前記作業床に回動可能に支持された平行な２本の回動アームを備えた平行四辺形リンクの他端部に前記索条をガイドするシーブを回動可能に設けるとともに、シーブカバーを設ける一方、これらの回動アームの回動位置を調整固定する手段を設けて構成したことを特徴とするものである。
【００１１】
この吊り下げ式作業床装置によれば、前記吊下げ位置調整機構を、一端部が前記作業床に回動可能に支持された平行な２本の回動アームを備えた平行四辺形リンクの他端部に前記索条をガイドするシーブを回動可能に設けるとともに、シーブカバーを設ける一方、これらの回動アームの回動位置を調整固定する手段を設けて構成してあり、平行四辺形リンクの先端のシーブに索条をガイドさせることで、リンクを構成する回動アームの角度を調整して索条の前後位置を変えることができるとともに、シーブカバーをリンクを介して設けることで回動アームの角度にかかわらず常に一定の姿勢に保つようにしている。
【００１２】
さらに、この発明の請求項３記載の吊り下げ式作業床装置は、請求項１記載の構成に加え、前記吊下げ位置調整機構を、一端部が前記作業床に回動可能に支持された回動アームの他端部に前記索条をガイドするシーブを設ける一方、この回動アームの回動位置を調整固定する手段を設けて構成したことを特徴とするものである。
【００１３】
この吊り下げ式作業床装置によれば、前記吊下げ位置調整機構を、一端部が前記作業床に回動可能に支持された回動アームの他端部に前記索条をガイドするシーブを設ける一方、この回動アームの回動位置を調整固定する手段を設けて構成してあり、回動アームの角度の調整でその先端のシーブを介して索条の前後位置を調整することができ、リンク機構に比べて機構を簡素化し軽量化できるようになる。
【００１４】
また、この発明の請求項４記載の吊り下げ式作業床装置は、請求項１記載の構成に加え、前記吊下げ位置調整機構を、一端部が前記作業床に支持された固定アームに前記索条をガイドする往復移動可能なシーブを設ける一方、このシーブの往復移動位置を調整固定する手段を設けて構成したことを特徴とするものである。
【００１５】
この吊り下げ式作業床装置によれば、前記吊下げ位置調整機構を、一端部が前記作業床に支持された固定アームに前記索条をガイドする往復移動可能なシーブを設ける一方、このシーブの往復移動位置を調整固定する手段を設けて構成してあり、固定アームに設けたシーブを往復移動させて索条の前後位置を変えることができ、このような機構でも索条の吊下げ位置を調整できるようになり、回動させるものに比べ、移動量が直接見て分かるようになる。
【００１６】
さらに、この発明の請求項５記載の吊り下げ式作業床装置は、請求項１〜４のいずれかに記載の構成に加え、前記作業床に、前方に張り出して設置可能な張出し作業床を設けて構成したことを特徴とするものである。
【００１７】
この吊り下げ式作業床装置によれば、前記作業床に、前方に張り出して設置可能な張出し作業床を設けて構成してあり、張出し作業床での作業の際の傾きを修正して作業できるようになる。
【００１８】
また、この発明の請求項６記載の吊り下げ式作業床装置は、請求項１〜５のいずれかに記載の構成に加え、前記吊下げ位置調整機構の前記作業床の左右方向取付位置を変更可能として吊り芯間隔を設定可能に構成したことを特徴とするものである。
【００１９】
この吊り下げ式作業床装置によれば、前記吊下げ位置調整機構の前記作業床の左右方向取付位置を変更可能として吊り芯間隔を設定可能に構成しており、吊下げ位置調整機構の吊り芯間隔を変えることで、吊り芯間隔内では、安定した状態で作業することができ、作業範囲に応じた作業床を用いて安定した姿勢で作業することもでき、必要な作業範囲を確保して構造物への適用範囲を拡大できるようになる。
【００２０】
さらに、この発明の請求項７記載の吊り下げ式作業床装置は、請求項１〜６のいずれかに記載の構成に加え、前記作業床を、当該作業床あるいは前記構造物に設置した巻き取り繰り出し装置で昇降可能に構成したことを特徴とするものである。
【００２１】
この吊り下げ式作業床装置によれば、前記作業床を、当該作業床あるいは前記構造物に設置した巻き取り繰り出し装置で昇降可能に構成してあり、一定高さに設置される作業床だけでなく、昇降される作業床のいずれでも昇降と組み合せて前後の傾きを修正したり、左右の作業範囲を拡大して作業できるようになる。
【００２２】
また、この発明の請求項８記載の吊り下げ式作業床装置は、請求項１〜７のいずれかに記載の構成に加え、前記作業床を、有人作業用のゴンドラあるいは作業機搭載用架台で構成したことを特徴とするものである。
【００２３】
この吊り下げ式作業床装置によれば、前記作業床を、有人作業用のゴンドラあるいは作業機搭載用架台で構成してあり、有人作業用や無人の作業機搭載用のずれの作業床でも荷重の移動や作業に伴う前後の傾きを修正したり、左右の作業範囲を拡大して作業できるようになる。
【００２４】
さらに、この発明の請求項９記載の吊り下げ式作業床装置は、請求項１〜５のいずれかに記載の構成に加え、前記作業床の少なくとも一端部に開閉扉を設けて構成したことを特徴とするものである。
【００２５】
この吊り下げ式作業床装置によれば、前記作業床の少なくとも一端部に開閉扉を設けて構成してあり、作業床に設けた開閉扉で乗り降りや荷物の載せ降ろしが容易となり、作業床の前後の傾きの修正や左右の作業範囲の拡大を組み合せて一層効率的に作業できるようになる。
【発明の効果】
【００２６】
この発明の請求項１記載の吊り下げ式作業床装置によれば、構造物の上部から索条で吊り下げられて作業に用いる吊り下げ式の作業床に、前記索条による前記作業床の前後方向の吊り下げ位置を調整して傾斜を修正し得る吊り下げ位置調整機構を設けて構成したので、吊下げ位置調整機構で索条による作業床の前後の吊下げ位置を変えることができ、作業床の前側や後側で作業しても傾かないようにでき、効率良く作業することができるとともに、安全性を向上することができる。
【００２７】
また、この発明の請求項２記載の吊り下げ式作業床装置によれば、前記吊下げ位置調整機構を、一端部が前記作業床に回動可能に支持された平行な２本の回動アームを備えた平行四辺形リンクの他端部に前記索条をガイドするシーブを回動可能に設けるとともに、シーブカバーを設ける一方、これらの回動アームの回動位置を調整固定する手段を設けて構成したので、平行四辺形リンクの先端のシーブに索条をガイドさせることで、リンクを構成する回動アームの角度を調整して索条の前後位置を変えることができるとともに、シーブカバーをリンクを介して設けることで回動アームの角度にかかわらず常に一定の姿勢に保つことができる。
【００２８】
さらに、この発明の請求項３記載の吊り下げ式作業床装置によれば、前記吊下げ位置調整機構を、一端部が前記作業床に回動可能に支持された回動アームの他端部に前記索条をガイドするシーブを設ける一方、この回動アームの回動位置を調整固定する手段を設けて構成したので、回動アームの角度の調整でその先端のシーブを介して索条の前後位置を調整することができ、リンク機構に比べて機構を簡素化し軽量化することができる。
【００２９】
また、この発明の請求項４記載の吊り下げ式作業床装置によれば、前記吊下げ位置調整機構を、一端部が前記作業床に支持された固定アームに前記索条をガイドする往復移動可能なシーブを設ける一方、このシーブの往復移動位置を調整固定する手段を設けて構成したので、固定アームに設けたシーブを往復移動させて索条の前後位置を変えることができ、このような機構でも索条の吊下げ位置を調整することができ、回動させるものに比べ、移動量を直接見て分かるので、容易に調整することができる。
【００３０】
さらに、この発明の請求項５記載の吊り下げ式作業床装置によれば、前記作業床に、前方に張り出して設置可能な張出し作業床を設けて構成したので、張出し作業床での作業の際の傾きを修正して容易かつ安全に作業することができる。
【００３１】
また、この発明の請求項６記載の吊り下げ式作業床装置によれば、前記吊下げ位置調整機構の前記作業床の左右方向取付位置を変更可能として吊り芯間隔を設定可能に構成したので、吊下げ位置調整機構の吊り芯間隔を変えることで、吊り芯間隔内では、安定した状態で作業することができ、作業範囲に応じた作業床を用いて安定した姿勢で作業することもでき、必要な作業範囲を確保して構造物への適用範囲を拡大することができる。
【００３２】
さらに、この発明の請求項７記載の吊り下げ式作業床装置によれば、前記作業床を、当該作業床あるいは前記構造物に設置した巻き取り繰り出し装置で昇降可能に構成したので、一定高さに設置される作業床だけでなく、昇降される作業床のいずれでも昇降と組み合せて前後の傾きを修正したり、左右の作業範囲を拡大して作業することができる。
【００３３】
また、この発明の請求項８記載の吊り下げ式作業床装置によれば、前記作業床を、有人作業用のゴンドラあるいは作業機搭載用架台で構成したので、有人作業用や無人の作業機搭載用のずれの作業床でも荷重の移動や作業に伴う前後の傾きを修正したり、左右の作業範囲を拡大して作業することができる。
【００３４】
さらに、この発明の請求項９記載の吊り下げ式作業床装置によれば、前記作業床の少なくとも一端部に開閉扉を設けて構成したので、作業床に設けた開閉扉で乗り降りや荷物の載せ降ろしが容易となり、作業床の前後の傾きの修正や左右の作業範囲の拡大を組み合せて一層効率的に作業することができる。
【発明を実施するための最良の形態】
【００３５】
以下、この発明の吊り下げ式作業床装置の実施の形態について添付図面を参照して詳細に説明する。
図１および図２はこの発明の吊り下げ式作業床装置を作業床としてのゴンドラ装置の作業用ケージに適用した一実施の形態にかかり、図１は全体の概略側面図、図２は吊り下げ位置調整機構の正面図、平面図および左側面図である。
【００３６】
この吊り下げ式作業床装置１では、左右２本の索条である昇降用ワイヤ２で吊り下げられる作業床としてのゴンドラ装置の作業用ケージ３の前後吊下げ位置を調整して作業用ケージの前後の傾きを抑制しようとするものである。
【００３７】
この作業床であるゴンドラ装置の作業用ケージ３としては、屋上などに仮設される横行レールを走行するトロリーあるいは屋上などから直接吊り下げられる２本の昇降用ワイヤ２に作業用ケージ３内のエンドレスワインダなどの昇降機構４を用いて昇降するゴンドラ装置の作業用ケージや屋上などに常設あるいは仮設された台車内のドラム式などの昇降機構で巻き取り・繰り出しされる２本の昇降用ワイヤをアームを介して垂下させて昇降させるゴンドラ装置の作業用ケージ、あるいは昇降機構のない所定高さに設置する作業用ケージのいずれにも適用できるものであり、特に前方に張り出して設置することができる張出式作業床を備える場合の傾きの抑制に有効なものである。
【００３８】
この吊り下げ式作業床装置１には、２本の索条として昇降用ワイヤ２に吊り下げられた作業床としての作業用ケージ３内に吊下げ位置調整機構１０が設置されており、例えば平行四辺形リンクで構成されている。
【００３９】
この吊下げ式作業床装置１の吊下げ位置調整機構１０は、作業用ケージ３に固定される支持柱１１を備えており、この支持柱１１の上端とこの支持柱１１の一部分を平行四辺形リンクの短辺リンクとして、上端の下方に長辺リンクとしての２本の回動アーム１２、１２ａの基端部がそれぞれ回動可能に支持され、下方の回動アーム１２aの先端にワイヤロープ２をガイドするシーブ１３が回動可能に取り付けてある。
【００４０】
そして、上方の回動アーム１２の先端と下方の回動アーム１２aの先端にシーブ１３の外側を覆うシーブカバー１４が平行四辺形リンクの他方の短辺リンクと兼用してピンで連結され、シーブカバー１４が回動アーム１２、１２aの回動角度にかかわらず、同一姿勢でシーブ１３を覆うようにしてある。
【００４１】
この平行な２本の回動アーム１２、１２aの回動位置を調整して固定する手段としてねじ機構１５が設けられ、下方の回動アーム１２ａに長孔で移動可能に取り付けた角度調整ナット１５ａに角度調整ボルト１５ｂがねじ込まれて先端部が支持柱１１に回転可能に取り付けてあり、角度調整ボルト１５ｂを回転することで、角度調整ナット１５ａからの突き出し量を変えてシーブ１３を介してガイドされる昇降用ワイヤ２の吊下げ位置を前後に調整することができる。
【００４２】
このような吊下げ位置調整機構１０は、特に張出し作業床１６を備えた作業用ケージ３に適用して有効であり、作業ケージの重心位置の移動距離分を移動し、傾きを修正して水平状態を保持したまま作業することができる。
【００４３】
この作業用ケージ３に備える張出し作業床１６としては、例えば図３に示すように、作業用ケージ３の前側に２本の固定柱１６ａが立設して取り付けられ、これら２本の固定柱１６ａの下端部間に回動可能な張出し床１６ｂが支持され、張出し床１６ｂの先端に手摺りとなる手摺り枠１６ｃがピンで支持され、固定柱１６ａの中間部および上端部の連結リンク１６ｄおよび下端部の折りたたみリンク１６ｅと手摺り枠１６ｃが連結されて構成されている。
【００４４】
これにより、張出し床１６ｂを固定柱１６ａから張出すように回動することで、張出し床１６ｂを設置することができ、張出し床１６ｂを設置するとともに、吊下げ位置の調整を行うようにすれば良く、引き込むようにして収納するとともに、吊下げ位置を元に戻すようにすれば良い。
【００４５】
次に、この発明の吊下げ式作業床装置の他の一実施の形態について、図４により説明する。  この吊下げ式作業床装置１Ａは、ワイヤロープ２の前後位置を調整する吊下げ位置調整機構が異なるもので、吊下げ位置調整機構２０では、作業用ケージ３に固定される支持柱２１を備えており、この支持柱２１の上端に１本の回動アーム２２の基端部が回動可能に支持され、その先端にワイヤロープ２をガイドするシーブ２３が回動可能に取り付けてある。
【００４６】
そして、回動アーム２２の先端にシーブ２３の外側を覆うシーブカバー２４がシーブ２３と同軸上で回動可能に取り付けられてガイド孔２４ａを通した昇降用ワイヤ２によって姿勢が変わるようになっており、回動アーム２２の回動角度によってシーブカバー２４が回動することで、シーブ２３を覆うようにしてある。
【００４７】
この回動アーム２２の回動位置を調整して固定する手段としてねじ機構２５が設けられ、回動アーム２２の回動軸より下方に突き出した部分と対向して支持柱２１に角度調整ナット２５ａが取り付けられ、角度調整ボルト２５ｂがねじ込まれて先端部が回動アーム２２にあたるように配置してあり、角度調整ボルト２５ｂを回転することで、角度調整ナット２５ａからの突き出し量を変えてシーブ２３を介してガイドされるワイヤロープ２の吊下げ位置を前後に調整することができる。
【００４８】
このような吊下げ位置調整機構２０も、特に張出し作業床１６を備えた作業用ケージ３に適用して有効であり、作業ケージの重心位置の移動距離分を移動し、傾きを修正して水平状態を保持したまま作業することができる。
【００４９】
次に、この発明の吊下げ式作業床装置のさらに他の一実施の形態について、図５および図６により説明する。  
この吊下げ式作業床装置１Ｂは、ワイヤロープ２の前後位置を調整する吊下げ位置調整機構が異なるもので、吊下げ位置調整機構３０では、作業用ケージ３に固定される支持柱３１を備えており、この支持柱３１の上端に水平に突き出す平面視コ字状の固定アーム３２が開口部を先端として基端部が溶接などで取り付けられ、その先端間にワイヤロープ２をガイドするシーブ３３が配置され、回動軸３３ａを長孔３２ａを介して往復移動可能に設けてある。
【００５０】
このシーブ３３の往復移動位置を調整して固定する手段としての往復移動機構３４は、シーブ３３の回動軸３３ａに平面視コ字状の支持部材３４ａが連結され、この支持部材３４ａに、固定アーム３２に取り付けた角度調整ナット３４ｂにねじ込まれた角度調整ボルト３４ｃの先端部が回動可能に連結してあり、角度調整ボルト３４ｃを回転することで、角度調整ナット３４ｂからの突き出し量を変えてシーブ３３を往復移動してガイドされる昇降用ワイヤ２の吊下げ位置を前後に調整することができ、回動アームを用いる場合と比較して直接移動量を見て知ることができる。
【００５１】
このような吊下げ位置調整機構３０も、特に張出し作業床１６を備えた作業用ケージ３に適用して有効であり、作業ケージの重心位置の移動距離分を移動し、傾きを修正して水平状態を保持したまま作業することができる。
【００５２】
次に、このような吊下げ位置調整機構１０，２０，３０で前後位置が調整される昇降用ワイヤ２は、例えば作業用ケージ３内に設置した昇降機構４としてのエンドレスワインダ４ａに巻き掛け、その摩擦力で巻き掛け位置を変えることで相対的に作業用ケージ３を昇降するようにするが、エンドレスワインダ４ａを吊り下げ位置調整機構１０、２０、３０のシーブ１３、２３、３３の位置に対応して移動できるようにしてある。
【００５３】
このため、ワインダ取り付け台４０が回動可能に設けられており、ここでは、吊下げ式作業床装置１の吊り下げ位置調整機構１０と組み合せた場合について、図１、図７および図８により説明する。
【００５４】
このワインダ取り付け台４０の一端部が支持柱１１にピン４０ａで回動可能に取り付けられ、支持柱１１に固定されたストッパ４１で昇降用ワイヤ２が弛んだ状態での回動下端位置を保持するようにしてあり、昇降時の昇降用ワイヤ２が張った状態では、吊り下げ位置調整機構１０のシーブ１３との距離が最短となるようにワインダ取り付け台４０が自動的に回動するようにしてある。
【００５５】
これにより、昇降用ワイヤ２が円滑に繰り出されたり、繰り込まれたりできるようになる。なお、図示例では、このワインダ取り付け台４０とエンドレスワインダ４ａとの間に過荷重検出機構４２が介装され、設定荷重以上の荷重が加わった場合に、ブレーキが作動するようにしてある。
【００５６】
さらに、この吊り下げ式作業床装置１には、作業用ケージ３に対して昇降用ワイヤ２の左右の取り付け位置、すなわち２本の昇降用ワイヤ２の吊り芯間隔Ｄを変えることができるようにしてあり、具体的には、吊り下げ位置調整機構１０の支持柱１１の作業用ケージ３への取り付けを簡単に変えることができるようにしてある。
【００５７】
この昇降用ワイヤ２の吊り芯間隔Ｄを変更可能とするため、移動架台５０を備え、移動架台５０に支持柱１１を取り付けるようにしてある。
【００５８】
この移動架台５０は、図１、図７〜図１０に示すように、平面視コ字状の架台本体５１を備えており、矩形断面の２本の前後鋼材５１ａと１本の左右鋼材５１ｂとを溶接して構成され、作業用ケージ３の前後方向に配置される２本の前後鋼材５１ａの前後両端部には、連結用ピン孔５２が形成してある。そして、架台本体５１の４隅である前後鋼材５１aの両端部には、キャスター取り付け板５３が水平に取り付けられ、その下面にキャスター５４（図７、８では省略）が取り付けてあり、架台本体５１自体を移動可能とするとともに、２台の架台本体５１,５１で搭載される作業用ケージ３を移動することもできるようにしてある。
【００５９】
また、この移動架台５０の２本の前後鋼材５１aには、上面の両端部に作業用ケージ３の底面に突き出すフレームを挿入固定するケージ固定部５５が設けてあり、中間部には、ケージ床板支持部５６が取り付けてある。
【００６０】
そして、左右鋼材５１bの中間部に吊下げ位置調整機構１０などの支持柱１１を挟んで固定する支持柱架台５７を固定する固定金具５８が２つ溶接等で取り付けられ、この固定金具５８に取り付けた支持柱架台５７に支持柱１１を２本のボルト・ナット等で取り付けるようになっている。
【００６１】
このような移動架台５０の架台本体５１上に搭載される作業用ケージ３は、例えば図１０に示すように、上部が開口した箱枠状に形成された横幅の異なる数種類（図示例では３種類）のケージユニット３ａ、３b、３cを連結して所定幅に連結して構成される。各ケージユニットの前後枠３ｄは、支柱材３ｅと補強材３ｆとがトラス状に配置されており、作業用ケージ３の左右両端部には、開閉扉３gが設けられ、図示しない開閉ハンドルとハンドルロックとの２動作によって開閉するようになっている。
【００６２】
このような作業用ケージ３と移動架台５０とを連結するため、連結治具５９が用いられ、図７に示すように、上端部に作業用ケージ３の支柱材３ｅと補強材３ｆの間、あるいは補強材３ｆ同士の谷部分に係止する略３角形状の係止部５９ａが溶接してあり、下端部には、コ字状の連結部５９ｂが形成され、移動架台５０の前後鋼材５１ａの前後両端部の連結用ピン孔５２に対応してピン孔５９ｃが形成してある。
【００６３】
したがって、移動架台５０の前後鋼材５１ａ上に、作業用ケージ３の支柱材３ｅと補強材３ｆの間、あるいは補強材３ｆ同士の谷部分が位置するように作業用ケージ３を搭載した後、連結治具５９を用い、２本の前後鋼材５１ａの前後の４箇所に、係止部５９ａを作業用ケージ３の支柱材３ｅと補強材３ｆの間、あるいは補強材３ｆ同士の谷部分に入れて係止するとともに、連結部５９ｂを移動架台５０の前後鋼材５１ａの外側に被せるようにして連結用ピン孔５２およびピン孔５９ｃに連結ピンを入れることで連結状態にすることができる。
【００６４】
したがって、図１０に示すように、作業用ケージ３への移動架台５０の位置を変えて連結治具５９で連結することで、簡単に昇降用ワイヤ２の吊り芯間隔Ｄをかえることができ、移動架台５０に取り付ける吊下げ位置調整機構１０による昇降用ワイヤ２の前後方向の吊下げ位置の調整とともに、構造物の屋上などに固定する昇降用ワイヤ２の設置間隔Ｄにかかわらず、作業に必要な横幅の作業用ケージ３を吊下げることができ、作業範囲を拡大したり、建物などへの適用範囲を拡大することができる。
【００６５】
これにより、昇降用ワイヤ２に対する作業用ケージ３の吊り芯間隔Ｄより外側の跳ね出し長さの調整が可能となるとともに、作業に必要な大きさの作業用ケージ３により作業を安定した状態で、しかも効率良く行うことができる。
【００６６】
また、この吊下げ式作業床装置１では、作業用ケージ３の両端部に開閉扉３ｇを設けて開閉できるようにしたので、これまでの乗越えて乗り降りしたり、荷物等を載せ降ろしする場合に比べ、効率良く乗り降りしたり、載せ降ろしすることができる。
【００６７】
なお、上記各実施の形態では、作業者が搭乗する有人式の作業用ケージを作業床とした場合を例に説明したが、自動作業機を搭載する作業機搭載用架台などに適用することができる。
【００６８】
また、前後の傾きの抑制や姿勢の調整は、張り出し式の作業床を備える場合に限らず、固定式の作業床だけを備えた作業用ケージの場合に適用しても良い。
【００６９】
さらに、上記各実施の形態では、作業用ケージ内に昇降機構を搭載した場合を例に説明したが、これに限らず、屋上などや屋上の台車などに昇降機構を設置して昇降させる作業用ケージなどの作業床に適用することもできる。
【図面の簡単な説明】
【００７０】
【図１】この発明の吊り下げ式作業床装置を作業床としてのゴンドラ装置の作業用ケージに適用した一実施の形態にかかる全体の概略側面図である。
【図２】この発明の吊り下げ式作業床装置を作業床としてのゴンドラ装置の作業用ケージに適用した一実施の形態にかかる吊り下げ位置調整機構の正面図、平面図および左側面図である。
【図３】この発明の吊り下げ式作業床装置を作業床としてのゴンドラ装置の作業用ケージに適用した一実施の形態にかかる張り出し作業床の正面図、平面図および右側面図である。
【図４】この発明の吊り下げ式作業床装置を作業床としてのゴンドラ装置の作業用ケージに適用した他の一実施の形態にかかる吊り下げ位置調整機構の正面図および側面図である。
【図５】この発明の吊り下げ式作業床装置を作業床としてのゴンドラ装置の作業用ケージに適用したさらに他の一実施の形態にかかる吊り下げ位置調整機構の概略斜視図である。
【図６】この発明の吊り下げ式作業床装置を作業床としてのゴンドラ装置の作業用ケージに適用した一実施の形態にかかる吊り下げ位置調整機構の部分拡大正面図および平面図である。
【図７】この発明の吊り下げ式作業床装置を作業床としてのゴンドラ装置の作業用ケージに適用した一実施の形態にかかる一部分の正面図および側面図である。
【図８】この発明の吊り下げ式作業床装置を作業床としてのゴンドラ装置の作業用ケージに適用した一実施の形態にかかる移動架台部分の正面図および側面図である。
【図９】この発明の吊り下げ式作業床装置を作業床としてのゴンドラ装置の作業用ケージに適用した一実施の形態にかかる移動架台部分の平面図およびその側面図である。
【図１０】この発明の吊り下げ式作業床装置を作業床としてのゴンドラ装置の作業用ケージに適用した一実施の形態にかかる作業用ケージの正面図および部分斜視図である。
【符号の説明】
【００７１】
１                      吊下げ式作業床装置
２                      昇降用ワイヤ（索条）
３                      作業用ケージ（作業床）
３ａ，３ｂ，３ｃ        ケージユニット
３ｄ                    前後枠
３ｅ                    支柱材
３ｆ                    補強材
３ｇ                    開閉扉
４                      昇降機構
４ａ                    エンドレスワインダ
１０、２０，３０        吊下げ位置調整機構
１１、２１，３１        支持柱
１２，１２ａ，２２      回動アーム
３２                    固定アーム
１３，２３，３３        シーブ
１４，２４              シーブカバー
１５，２５              ねじ機構
１５ａ，２５ａ          角度調整ナット
１５ｂ，２５ｂ          角度調整ボルト
１６                    張り出し作業床
３４                    往復移動機構
３４ａ                  支持部材
３４ｂ                  角度調整ナット
３４ｃ                  角度調整ボルト
４０                    ワインダ取り付け台
４１                    ストッパ
４２                    過荷重検出機構
５０                    移動架台
５１                    架台本体
５１ａ                  前後鋼材
５１ｂ                  左右鋼材
５２                    連結用ピン孔
５３                    キャスター取り付け板
５４                    キャスター
５５                    ケージ固定部
５６                    ケージ床板支持部
５７                    支持柱架台
５８                    固定金具
５９                    連結治具
５９ａ                  係止部
５９ｂ                  連結部
５９ｃ                  ピン孔
Ｄ                      吊り芯間隔
【図１】
2007132087.tif 000003
【図２】
2007132087.tif 000004
【図３】
2007132087.tif 000005
【図４】
2007132087.tif 000006
【図５】
2007132087.tif 000007
【図６】
2007132087.tif 000008
【図７】
2007132087.tif 000009
【図８】
2007132087.tif 000010
【図９】
2007132087.tif 000011
【図１０】
2007132087.tif 000012